(57)【要約】【課題】喫煙者の意志に関係なく、禁煙などによる禁断症状を予防、軽減または解消して、禁煙の欲求を抑制し、喫煙習慣からの脱却を可能にする禁煙などの補助具を提供する。【解決手段】合成樹脂、セラミックス、象牙、あるいは金系や銀系など人体に無害な金属類によってシェル状の禁煙などの補助具１を設け、松葉の粉末，松葉エキス，松脂，エゾウコギエキス，グリコエン酸脂肪酸エステルなどの禁煙剤または節煙剤２のうちの少なくとも１種を、レジンセメント、キチンなどの徐放剤５に含ませた状態で前記補助具１の袋状の収容部１Ａに収容して、歯または人工歯３の歯冠部にレジンセメントまたは接着剤などの接着手段４によって取外し不能に取付け、前記収容部１Ａに通じる小さい開口１Ｂから禁煙剤または節煙剤２を口中に徐々に放出（溶出）させて、禁煙欲求を抑制する。【選択図】        図４
2004357907.tif 000002
【特許請求の範囲】
【請求項１】
禁煙剤または節煙剤を備えさせるための禁煙または節煙の補助具であり、歯または人工歯に対して取外し不能に取付けられることを特徴とする禁煙または節煙の補助具。
【請求項２】
禁煙剤または節煙剤を備えた禁煙または節煙の補助具であり、歯または人工歯に対して取外し不能に取付けられることを特徴とする禁煙または節煙の補助具。
【請求項３】
歯冠部に禁煙剤または節煙剤を備えさせるための設置部を設けたことを特徴とする人工歯。
【請求項４】
歯冠部に禁煙剤または節煙剤を備えていることを特徴とする人工歯。
【請求項５】
歯冠部に禁煙剤または節煙剤を備えさせるための禁煙または節煙の補助具を取外し不能に取付けたことを特徴とする人工歯。
【請求項６】
歯冠部に禁煙剤または節煙剤を備えた禁煙または節煙の補助具を取外し不能に取付けたことを特徴とする人工歯。
【請求項７】
前記禁煙剤または節煙剤が徐放剤に含ませてある請求項１または請求項２のいずれかに記載の禁煙または節煙の補助具。
【請求項８】
前記禁煙剤または節煙剤が徐放剤に含ませてある請求項３、請求項４、請求項５または請求項６のいずれかに記載の人工歯。
【発明の詳細な説明】
【０００１】
【発明の属する技術分野】
本発明は、禁煙または節煙（以下、「禁煙など」という。）の補助具および人工歯に関する。
【０００２】
【従来の技術】
従来より、禁煙などを促進する技術として、たとえば、嫌煙トローチ（特許文献１参照。）やタバコ型禁煙健康補助具（特許文献２参照。）などが知られている。
【０００３】
前者の嫌煙トローチは、たとえば、松葉の粉末、松葉エキス、または松脂などの禁煙剤または節煙剤のうち、少なくとも１種を、１ないし３重量％と、ハッカ油または結晶状ハッカ脳を、０．１ないし０．３重量％と、ツリガネニンジンの粉末またはエキスの粉状体を、０．１ないし０．５重量％と、キダチアロエ粉末を、０．１ないし０．５重量％と、粉糖とを含むものである。
【０００４】
この嫌煙トローチによれば、これを服用すると、松のにおいとその弱いサポニンの刺激により、煙草の味が悪くなる。また、ハッカ油または結晶状ハッカ脳により、清涼感が与えられ、ツリガネニンジンの粉末またはエキスの粉状体により、喉に軽い刺激が与えられるとともに、去痰、口腔洗浄の作用をうける。さらに、キダチアロエ粉末により、わずかな苦みが与えられ、かつ粘膜の荒れを修復する作用をうけるとされている。
【０００５】
一方、後者のタバコ型禁煙健康補助具は、内側に段を有しその中にエキスチューブを内設した円筒型の本体部と、一端に本体部を挿入できる開口部をもち、他端部に口にくわえるための吸い口を有し、その内部に液吸収材およびフィルターを内蔵した吸い口部を備えている。
【０００６】
このタバコ型禁煙健康補助具によれば、タバコの吸えない時や吸えない場所での使用に際し、本体部の外に付けられたマークを親指と人差し指で押すことによって、本体部の中にあるチューブ圧潰板の力でエキスチューブを破り、内蔵したエキスを流出させ吸い口部の液吸収材に吸い込ませ、数日間の使用に耐えるタバコ代わりの作用をすると同時に、禁煙者の健康補助の作用も発揮するとされている。
【０００７】
【特許文献１】
特公平１−４２６６３号公報
【０００８】
【特許文献２】
特開平９−１２１８３２号公報
【０００９】
【発明が解決しようとする課題】
ところが、前者の嫌煙トローチや後者のタバコ型禁煙健康補助具の両者とも、禁煙などによる禁断症状を予防、軽減または解消するための服用や使用が喫煙者の意志に委ねられるものである。したがって、喫煙の欲求が著しく高くなった場合に、この欲求を抑制して、嫌煙トローチやタバコ型禁煙健康補助具の服用や使用を選択することで、喫煙を避けるためには、強固な意志が要求される。当然、意志の強弱には、大きい個人差があるので、意志の弱い範疇に属する喫煙者は勿論のこと、比較的強い意志をもつ喫煙者であっても、著しく高くなった喫煙の欲求を抑制して、嫌煙トローチやタバコ型禁煙健康補助具の服用や使用を選択するには、事実上困難を極める。また、これらの服用や使用を実行したとしても、禁煙欲求を抑制する効果の持続時間が短いために、服用または使用頻度が高くなるので、この点からも煩わしさが募り、その結果、服用や使用を断念することにもなる。
【００１０】
本発明は、このような事情を考慮してなされたもので、喫煙者の意志に関係なく、禁煙などによる禁断症状を予防、軽減または解消して、禁煙の欲求を抑制し、喫煙習慣からの脱却を可能にすることができる禁煙などの補助具および人工歯を提供することを目的としている。
【００１１】
【課題を解決するための手段】
前記目的を達成するために、請求項１に記載の発明に係る禁煙などの補助具は、禁煙剤または節煙剤を備えさせるための禁煙などの補助具であり、歯または人工歯に対して取外し不能に取付けられることをことを特徴としている。
【００１２】
前記目的を達成するために、請求項２に記載の発明に係る禁煙などの補助具は、禁煙剤または節煙剤を備えた禁煙などの補助具であり、歯または人工歯に対して取外し不能に取付けられることを特徴としている。
【００１３】
前記目的を達成するために、請求項３に記載の発明に係る人工歯は、歯冠部に禁煙剤または節煙剤を備えさせるための設置部を設けたことを特徴としている。
【００１４】
前記目的を達成するために、請求項４に記載の発明に係る人工歯は、歯冠部に禁煙剤または節煙剤を備えていることを特徴としている。
【００１５】
前記目的を達成するために、請求項５に記載の発明に係る人工歯は、歯冠部に禁煙剤または節煙剤を備えさせるための禁煙などの補助具を取外し不能に取付けたことを特徴としている。
【００１６】
前記目的を達成するために、請求項６に記載の発明に係る人工歯は、歯冠部に禁煙剤または節煙剤を備えた禁煙などの補助具を取外し不能に取付けたことを特徴としている。
【００１７】
請求項７に記載の発明のように、前記禁煙剤または節煙剤が徐放剤に含ませてある禁煙などの補助具であることが好ましい。
【００１８】
請求項８に記載の発明のように、前記禁煙剤または節煙剤が徐放剤に含ませてある人工歯であることが好ましい。
【００１９】
なお、前記「歯」とは、ヒトの口腔内に自然に備わっている歯をいう。また、前記「人工歯」とは、レジン歯、セラミック歯、金属歯、ブリッジ、局部義歯、総義歯、インプラントなどをいう。
【００２０】
請求項１に記載の発明によれば、歯または人工歯に対して、禁煙などの補助具を取外し不能に取付けることで、この禁煙などの補助具に禁煙剤または節煙剤を備えさせて、喫煙習慣から脱却させる禁煙などの作用を生じさせることができる。
【００２１】
請求項２に記載の発明によれば、歯または人工歯に対して、禁煙剤または節煙剤を備えた禁煙などの補助具を取外し不能に取付けることで、禁煙剤または節煙剤により喫煙習慣から脱却させる禁煙などの作用を生じさせることができる。
【００２２】
請求項３に記載の発明によれば、歯冠部に設けた設置部に禁煙剤または節煙剤を備えさせて、喫煙習慣から脱却させる禁煙などの作用を生じさせることができる。
【００２３】
請求項４に記載の発明によれば、歯冠部に備わっている禁煙剤または節煙剤により、喫煙習慣から脱却させる禁煙などの作用を生じさせることができる。
【００２４】
請求項５に記載の発明によれば、歯冠部に取外し不能に取付けた禁煙などの補助具に禁煙剤または節煙剤を備えさせて、喫煙習慣から脱却させる禁煙などの作用を生じさせることができる。
【００２５】
請求項６に記載の発明によれば、歯冠部に取外し不能に取付けた禁煙などの補助具に備わっている禁煙剤または節煙剤により、喫煙習慣から脱却させる禁煙などの作用を生じさせることができる。
【００２６】
請求項７に記載の発明によれば、禁煙などの補助具に備えさせた禁煙剤または節煙剤による禁煙などの作用、あるいは禁煙などの補助具に備わっている禁煙剤または節煙剤による禁煙などの作用を、徐放剤の徐放作用により長期間持続させることができる。
【００２７】
請求項８に記載の発明によれば、人工歯の歯冠部に設けた設置部に備えさせた禁煙剤または節煙剤、人工歯の歯冠部に備わっている禁煙剤または節煙剤、人工歯の歯冠部に取外し不能に取付けた禁煙などの補助具に備えさせた禁煙剤または節煙剤、人工歯の歯冠部に取外し不能に取付けた禁煙などの補助具に備わっている禁煙剤または節煙剤による禁煙などの作用を、徐放剤の徐放作用により長期間持続させることができる。
【００２８】
【発明の実施の形態】
以下、本発明の一実施の形態を図面に基づいて説明する。
図１は請求項１に記載の発明に係る禁煙などの補助具の一実施の形態を示す斜視図、図２は図１のＡ−Ａ線に沿う拡大断面図であり、これらの図において、禁煙などの補助具１は、人間の歯の歯冠部もしくは人工歯の歯冠部の側面形状に沿うように、合成樹脂、セラミックス、象牙、あるいは金系や銀系など人体に無害な金属類によって成形されたシェル状のもので、その本体内には、後述する禁煙剤または節煙剤を収容する袋状の収容部１Ａが設けられ、この袋状の収容部１Ａは、禁煙などの補助具１の表面中央部に設けた小さい開口１Ｂを介して外部に通じている。なお、前記シェル状の補助具１は、前記歯冠部の側面形状に沿うように複数種類揃えておくことが好ましい。
【００２９】
前記禁煙などの補助具１は、図３に示し、かつ請求項２に記載の発明のように、松葉の粉末，松葉エキス，松脂，エゾウコギエキス，グリコエン酸脂肪酸エステルなどの禁煙剤または節煙剤２のうちの少なくとも１種が袋状の収容部１Ａに収容される。このように、禁煙剤または節煙剤２のうちの少なくとも１種が袋状の収容部１Ａに収容された禁煙などの補助具１は、図４，図５に示すように、歯または人工歯３のたとえば下顎右側の第二大臼歯３Ａにおける歯冠部の内面に対して、レジンセメントまたは接着剤などの接着手段４を介して取外し不能に取付けられる。
【００３０】
前記構成によれば、禁煙剤または節煙剤２が小さい開口１Ｂから唾液に溶出して、人体に無害である禁煙剤または節煙剤２の匂いや刺激が常時口中に僅かに漂って禁煙の欲求を抑制することができるばかりか、たとえ喫煙したとしても、常時口中に僅かに漂っている禁煙剤または節煙剤２の匂いや刺激が吸い込んだ煙に反応して、タバコの味を極端に悪くしたり、場合によっては嫌悪感をもおぼえさせることになって、喫煙習慣から脱却させる効果をあげることができる。
【００３１】
禁煙などの補助具１は、接着手段４によって取外し不能に歯または人工歯３における下顎右側の第二大臼歯３Ａの歯冠部に取付けられているので、意志の強弱にかかわらず、強制的に喫煙の欲求を抑制し得る状態を維持することができる。つまり、従来の嫌煙トローチやタバコ型禁煙健康補助具では、喫煙の欲求が著しく高くなった場合に、これらの服用や使用を個人の意志によって中止して、禁煙や節煙を放棄することが可能であるものの、禁煙などの補助具１が取外し不能であることにより、個人の意志にかかわらず喫煙の欲求を抑制し得る状態を維持して、喫煙習慣から脱却させる効果をあげることが可能になる。
【００３２】
一方、禁煙剤または節煙剤２を、図３のように、徐放剤５に含ませることで、徐放剤５の徐放作用により禁煙剤または節煙剤２を小さい開口１Ｂから口中に徐々に放出（溶出）させて、禁煙欲求を抑制する効果の持続時間（持続期間）を３〜６ケ月の長期にわたって延長させることができる。このため、従来の嫌煙トローチやタバコ型禁煙健康補助具のような、服用または使用上の煩わしさが消失されるとともに、薄弱な意志が起因して使用の断念を招くようなことがなくなる。なお、徐放剤５としては、禁煙剤または節煙剤２が徐々に削れるもしくは溶けるように、たとえば上記レジンセメント、キチン、その他人体に無害な適宜の徐放剤をあげることができる。禁煙剤または節煙剤２の徐放効果が生じる理由については、今のところ詳細に判明していないが、たとえばキチンの有する膜形成能、水膨潤性、ゲル化などの性質によって、禁煙剤または節煙剤２の徐放効果を生ずるものと考えられる。
【００３３】
図６に示すように、人工歯３の歯冠部に禁煙剤または節煙剤２を備えさせるための設置部６を予め設けておくことによって、この人工歯３を適用後、適用者の希望により、図７に示すように、禁煙剤または節煙剤２を備えた人工歯３に変更することができるので、個人の意志にかかわらず喫煙の欲求を抑制し得る状態を維持して、喫煙習慣から脱却させる効果をあげることができる。
【００３４】
また、図８に示すように、人工歯３の歯冠部に禁煙剤または節煙剤２を備えさせるための禁煙などの補助具１、つまり、禁煙剤または節煙剤２が収容部１Ａに収容されていない禁煙などの補助具１を接着手段４（ただし、図８には図示されていない）によって取外し不能に取付けておくことによって、この人工歯３を適用後、適用者の希望により、図９に示すように、禁煙剤または節煙剤２を収容部１Ａに収容した禁煙などの補助具１が取外し不能に取付けられた人工歯３に変更することができるので、個人の意志にかかわらず喫煙の欲求を抑制し得る状態を維持して、喫煙習慣から脱却させる効果をあげることができる。
【００３５】
前記図７〜図９で説明した人工歯３において、禁煙剤または節煙剤２を徐放剤５に含ませることで、前述のように、徐放剤５の作用により禁煙剤または節煙剤２を口中に徐々放出（溶出）させて、禁煙欲求を抑制する効果の持続時間（持続期間）を３〜６ケ月の長期にわたって延長させることができる。
【００３６】
なお、前記各実施の形態では、禁煙などの補助具１あるいは禁煙剤または節煙剤２を、歯または人工歯３のたとえば下顎右側の第二大臼歯３Ａにおける歯冠部の内面に対して取外し不能に取付けた構成で説明しているが、取付けられる歯または人工歯３は、前記下顎右側の第二大臼歯３Ａにのみ特定されるものではなく、上顎や下顎の左右を問わず、第一〜第三大臼歯は勿論のこと、第一、第二小臼歯、犬歯、側切歯、中切歯の歯冠部の内面に対して取外し不能に取付けてもよい。また、これら各歯の歯冠部における外面に対して取外し不能に取付けてもよいが、歯冠部の内面に取外し不能に取付けることによって、言語発生時や咀嚼時における違和感を軽減することができる。さらに、犬歯、側切歯、中切歯の歯冠部の外面への取付けは、容貌の変化させることにつながるので、第一〜第三大臼歯を特定することが好ましいといえる。
【００３７】
【発明の効果】
以上説明したように、本発明に係る禁煙または節煙の補助具および人工歯は構成されているので、以下のような格別の効果を奏する。
【００３８】
請求項１に記載の発明によれば、禁煙などの補助具に禁煙剤または節煙剤を備えさせることで、個人の意志にかかわらず喫煙の欲求を抑制し得る状態を維持して、喫煙習慣から脱却させる効果をあげることができる。
【００３９】
請求項２に記載の発明によれば、歯または人工歯に対して、禁煙剤または節煙剤を備えた禁煙などの補助具を取外し不能に取付けることで、個人の意志にかかわらず喫煙の欲求を抑制し得る状態を維持して、喫煙習慣から脱却させる効果をあげることができる。
【００４０】
請求項３に記載の発明によれば、人工歯の適用後に、適用者の希望により禁煙剤または節煙剤を備えた人工歯に変更することができるので、個人の意志にかかわらず喫煙の欲求を抑制し得る状態を維持して、喫煙習慣から脱却させる効果をあげることができる。
【００４１】
請求項４に記載の発明によれば、人工歯の適用によって、個人の意志にかかわらず喫煙の欲求を抑制し得る状態を維持して、喫煙習慣から脱却させる効果をあげることができる。
【００４２】
請求項５に記載の発明によれば、人工歯の適用後に、適用者の希望により禁煙などの補助具に禁煙剤または節煙剤を備えた人工歯に変更することができるので、個人の意志にかかわらず喫煙の欲求を抑制し得る状態を維持して、喫煙習慣から脱却させる効果をあげることができる。
【００４３】
請求項６に記載の発明によれば、人工歯の適用によって、個人の意志にかかわらず喫煙の欲求を抑制し得る状態を維持して、喫煙習慣から脱却させる効果をあげることができる。
【００４４】
請求項７または請求項８に記載の発明によれば、徐放剤の徐放作用により禁煙剤または節煙剤を口中に徐々に放出（溶出）させて、禁煙欲求を抑制する効果の持続時間（持続期間）を３〜６ケ月の長期にわたって延長させることができるので、喫煙習慣から脱却させる効果をより一層あげることができる。
【図面の簡単な説明】
【図１】請求項１に記載の発明に係る禁煙などの補助具の一実施の形態を示す斜視図である。
【図２】図１のＡ−Ａ線に沿う拡大断面図である。
【図３】請求項２に記載の発明に係る禁煙などの補助具の一実施の形態を示す図２相当図である。
【図４】禁煙などの補助具を下顎右側の第二大臼歯における歯冠部の内面に取付けた状態を示す斜視図である。
【図５】図４の第二大臼歯の拡大平面図である。
【図６】請求項３に記載の発明に係る人工歯の一実施の形態を示す斜視図である。
【図７】請求項４に記載の発明に係る人工歯の一実施の形態を示す斜視図である。
【図８】請求項５に記載の発明に係る人工歯の一実施の形態を示す斜視図である。
【図９】請求項６に記載の発明に係る人工歯の一実施の形態を示す斜視図である。
【符号の説明】
１  禁煙などの補助具（禁煙または節煙の補助具）
２  禁煙剤または節煙剤
３  歯または人工歯
５  徐放剤
【図１】
2004357907.tif 000003
【図２】
2004357907.tif 000004
【図３】
2004357907.tif 000005
【図４】
2004357907.tif 000006
【図５】
2004357907.tif 000007
【図６】
2004357907.tif 000008
【図７】
2004357907.tif 000009
【図８】
2004357907.tif 000010
【図９】
2004357907.tif 000011
【手続補正書】
【提出日】平成15年12月8日(2003.12.8)
【手続補正１】
【補正対象書類名】明細書
【補正対象項目名】全文
【補正方法】変更
【補正の内容】
【特許請求の範囲】
【請求項１】禁煙剤または節煙剤を備えさせるための禁煙または節煙の補助具であり、本体内に収容部が設けられ、表面にこの収容部よりも小さい開口が設けられ、歯または人工歯に対して取外し不能に取付けられることを特徴とする禁煙または節煙の補助具。
【請求項２】上記の収容部内に禁煙剤または節煙剤を備えた、請求項１に記載の禁煙または節煙の補助具。
【請求項３】外形がシェル状で、歯または人工歯の歯冠部の側面形状に沿わせ得る形状を備えている、請求項１または請求項２に記載の禁煙または節煙の補助具。
【請求項４】前記禁煙剤または節煙剤が徐放剤に含ませてある請求項１から３のいずれか１項に記載の禁煙または節煙の補助具。
【請求項５】歯冠部に禁煙剤または節煙剤を備えさせるための禁煙または節煙の補助具を取外し不能に取付け、上記の補助具は本体内に収容部が設けられ、この補助具の表面に上記の収容部よりも小さい開口が設けられたことを特徴とする人工歯。
【請求項６】上記の収容部内に禁煙剤または節煙剤を備えた、請求項５に記載の人工歯。
【請求項７】上記の補助具は外形がシェル状で、歯または人工歯の歯冠部の側面形状に沿わせ得る形状を備えている、請求項５または請求項６に記載の人工歯。
【請求項８】前記禁煙剤または節煙剤が徐放剤に含ませてある請求項５から７のいずれか１項に記載の人工歯。
【発明の詳細な説明】
【０００１】
【発明の属する技術分野】
本発明は、禁煙または節煙（以下、「禁煙など」という。）の補助具および人工歯に関する。
【０００２】
【従来の技術】
従来より、禁煙などを促進する技術として、たとえば、嫌煙トローチ（特許文献１参照。）やタバコ型禁煙健康補助具（特許文献２参照。）などが知られている。
【０００３】
前者の嫌煙トローチは、たとえば、松葉の粉末、松葉エキス、または松脂などの禁煙剤または節煙剤のうち、少なくとも１種を、１ないし３重量％と、ハッカ油または結晶状ハッカ脳を、０．１ないし０．３重量％と、ツリガネニンジンの粉末またはエキスの粉状体を、０．１ないし０．５重量％と、キダチアロエ粉末を、０．１ないし０．５重量％と、粉糖とを含むものである。
【０００４】
この嫌煙トローチによれば、これを服用すると、松のにおいとその弱いサポニンの刺激により、煙草の味が悪くなる。また、ハッカ油または結晶状ハッカ脳により、清涼感が与えられ、ツリガネニンジンの粉末またはエキスの粉状体により、喉に軽い刺激が与えられるとともに、去痰、口腔洗浄の作用をうける。さらに、キダチアロエ粉末により、わずかな苦みが与えられ、かつ粘膜の荒れを修復する作用をうけるとされている。
【０００５】
一方、後者のタバコ型禁煙健康補助具は、内側に段を有しその中にエキスチューブを内設した円筒型の本体部と、一端に本体部を挿入できる開口部をもち、他端部に口にくわえるための吸い口を有し、その内部に液吸収材およびフィルターを内蔵した吸い口部を備えている。
【０００６】
このタバコ型禁煙健康補助具によれば、タバコの吸えない時や吸えない場所での使用に際し、本体部の外に付けられたマークを親指と人差し指で押すことによって、本体部の中にあるチューブ圧潰板の力でエキスチューブを破り、内蔵したエキスを流出させ吸い口部の液吸収材に吸い込ませ、数日間の使用に耐えるタバコ代わりの作用をすると同時に、禁煙者の健康補助の作用も発揮するとされている。
【０００７】
【特許文献１】
特公平１−４２６６３号公報
【０００８】
【特許文献２】
特開平９−１２１８３２号公報
【０００９】
【発明が解決しようとする課題】
ところが、前者の嫌煙トローチや後者のタバコ型禁煙健康補助具の両者とも、禁煙などによる禁断症状を予防、軽減または解消するための服用や使用が喫煙者の意志に委ねられるものである。したがって、喫煙の欲求が著しく高くなった場合に、この欲求を抑制して、嫌煙トローチやタバコ型禁煙健康補助具の服用や使用を選択することで、喫煙を避けるためには、強固な意志が要求される。当然、意志の強弱には、大きい個人差があるので、意志の弱い範疇に属する喫煙者は勿論のこと、比較的強い意志をもつ喫煙者であっても、著しく高くなった喫煙の欲求を抑制して、嫌煙トローチやタバコ型禁煙健康補助具の服用や使用を選択するには、事実上困難を極める。また、これらの服用や使用を実行したとしても、喫煙欲求を抑制する効果の持続時間が短いために、服用または使用頻度が高くなるので、この点からも煩わしさが募り、その結果、服用や使用を断念することにもなる。
【００１０】
本発明は、このような事情を考慮してなされたもので、喫煙者の意志に関係なく、禁煙などによる禁断症状を予防、軽減または解消して、喫煙の欲求を抑制し、喫煙習慣からの脱却を可能にすることができる禁煙などの補助具および人工歯を提供することを目的としている。
【００１１】
【課題を解決するための手段】
本発明は前記目的を達成するために、例えば、本発明の実施の形態を示す図１から図７に基づいて説明すると、次のように構成したものである。
即ち、請求項１に記載の発明に係る禁煙などの補助具は、禁煙剤または節煙剤を備えさせるための禁煙などの補助具であり、本体内に収容部が設けられ、表面にこの収容部よりも小さい開口が設けられ、歯または人工歯に対して取外し不能に取付けられることを特徴としている。
【００１２】
また、請求項５に記載の発明に係る人工歯は、歯冠部に禁煙剤または節煙剤を備えさせるための禁煙などの補助具を取外し不能に取付け、上記の補助具は本体内に収容部が設けられ、この補助具の表面に上記の収容部よりも小さい開口が設けられたことを特徴としている。
【００１３】
上記の補助具は、上記の収容部内に禁煙剤または節煙剤を備えていてもよい。この補助具は、外形がシェル状で、歯または人工歯の歯冠部の側面形状に沿わせ得る形状を備えていると、好ましい。
【００１４】
また、上記の禁煙剤または節煙剤は、徐放剤に含ませて収容部内に収容することができる。この場合には、禁煙剤または節煙剤による禁煙などの作用を、徐放剤の徐放作用により長期間持続させることができ、好ましい。
【００１５】
なお、前記「歯」とは、ヒトの口腔内に自然に備わっている歯をいう。また、前記「人工歯」とは、レジン歯、セラミック歯、金属歯、ブリッジ、局部義歯、総義歯、インプラントなどをいう。
【００１６】
請求項１に記載の発明によれば、歯または人工歯に対して、禁煙などの補助具を取外し不能に取付けることで、この禁煙などの補助具に禁煙剤または節煙剤を備えさせて、喫煙習慣から脱却させる禁煙などの作用を生じさせることができる。
【００１７】
請求項５に記載の発明によれば、歯冠部に取外し不能に取付けた禁煙などの補助具に禁煙剤または節煙剤を備えさせて、喫煙習慣から脱却させる禁煙などの作用を生じさせることができる。
【００１８】
【発明の実施の形態】
以下、本発明の一実施の形態を図面に基づいて説明する。
図１は請求項１に記載の発明に係る禁煙などの補助具の一実施の形態を示す斜視図、図２は図１のＡ−Ａ線に沿う拡大断面図であり、これらの図において、禁煙などの補助具１は、人間の歯の歯冠部もしくは人工歯の歯冠部の側面形状に沿うように、合成樹脂、セラミックス、象牙、あるいは金系や銀系など人体に無害な金属類によって成形されたシェル状のもので、その本体内には、後述する禁煙剤または節煙剤を収容する袋状の収容部１Ａが設けられ、この袋状の収容部１Ａは、禁煙などの補助具１の表面中央部に設けた小さい開口１Ｂを介して外部に通じている。なお、前記シェル状の補助具１は、前記歯冠部の側面形状に沿うように複数種類揃えておくことが好ましい。
【００１９】
前記禁煙などの補助具１は、図３に示し、かつ請求項２に記載の発明のように、松葉の粉末，松葉エキス，松脂，エゾウコギエキス，グリコエン酸脂肪酸エステルなどの禁煙剤または節煙剤２のうちの少なくとも１種が袋状の収容部１Ａに収容される。このように、禁煙剤または節煙剤２のうちの少なくとも１種が袋状の収容部１Ａに収容された禁煙などの補助具１は、図４，図５に示すように、歯または人工歯３のたとえば下顎右側の第二大臼歯３Ａにおける歯冠部の内面に対して、レジンセメントまたは接着剤などの接着手段４を介して取外し不能に取付けられる。
【００２０】
前記構成によれば、禁煙剤または節煙剤２が小さい開口１Ｂから唾液に溶出して、人体に無害である禁煙剤または節煙剤２の匂いや刺激が常時口中に僅かに漂って喫煙の欲求を抑制することができるばかりか、たとえ喫煙したとしても、常時口中に僅かに漂っている禁煙剤または節煙剤２の匂いや刺激が吸い込んだ煙に反応して、タバコの味を極端に悪くしたり、場合によっては嫌悪感をもおぼえさせることになって、喫煙習慣から脱却させる効果をあげることができる。
【００２１】
禁煙などの補助具１は、接着手段４によって取外し不能に歯または人工歯３における下顎右側の第二大臼歯３Ａの歯冠部に取付けられているので、意志の強弱にかかわらず、強制的に喫煙の欲求を抑制し得る状態を維持することができる。つまり、従来の嫌煙トローチやタバコ型禁煙健康補助具では、喫煙の欲求が著しく高くなった場合に、これらの服用や使用を個人の意志によって中止して、禁煙や節煙を放棄することが可能であったが、これに対し上記の禁煙などの補助具１が取外し不能であることにより、個人の意志にかかわらず喫煙の欲求を抑制し得る状態を維持して、喫煙習慣から脱却させる効果をあげることが可能になる。
【００２２】
一方、禁煙剤または節煙剤２を、図３のように、徐放剤５に含ませることで、徐放剤５の徐放作用により禁煙剤または節煙剤２を小さい開口１Ｂから口中に徐々に放出（溶出）させて、喫煙欲求を抑制する効果の持続時間（持続期間）を３〜６ケ月の長期にわたって延長させることができる。このため、従来の嫌煙トローチやタバコ型禁煙健康補助具のような、服用または使用上の煩わしさが消失されるとともに、薄弱な意志が起因して使用の断念を招くようなことがなくなる。なお、徐放剤５としては、禁煙剤または節煙剤２が徐々に削れるもしくは溶けるように、たとえば上記レジンセメント、キチン、その他人体に無害な適宜の徐放剤をあげることができる。禁煙剤または節煙剤２の徐放効果が生じる理由については、今のところ詳細に判明していないが、たとえばキチンの有する膜形成能、水膨潤性、ゲル化などの性質によって、禁煙剤または節煙剤２の徐放効果を生ずるものと考えられる。
【００２３】
また、図６に示すように、人工歯３の歯冠部に禁煙剤または節煙剤２を備えさせるための禁煙などの補助具１、つまり、禁煙剤または節煙剤２が収容部１Ａに収容されていない禁煙などの補助具１を接着手段４（ただし、図６には図示されていない）によって取外し不能に取付けておくことによって、この人工歯３を適用後、適用者の希望により、図７に示すように、禁煙剤または節煙剤２を収容部１Ａに収容した禁煙などの補助具１が取外し不能に取付けられた人工歯３に変更することができるので、個人の意志にかかわらず喫煙の欲求を抑制し得る状態を維持して、喫煙習慣から脱却させる効果をあげることができる。
【００２４】
上記の人工歯３において、禁煙剤または節煙剤２を徐放剤５に含ませることで、前述のように、徐放剤５の作用により禁煙剤または節煙剤２を口中に徐々放出（溶出）させて、喫煙欲求を抑制する効果の持続時間（持続期間）を３〜６ケ月の長期にわたって延長させることができる。
【００２５】
なお、前記各実施の形態では、禁煙などの補助具１を、歯または人工歯３のたとえば下顎右側の第二大臼歯３Ａにおける歯冠部の内面に対して取外し不能に取付けた構成で説明しているが、取付けられる歯または人工歯３は、前記下顎右側の第二大臼歯３Ａにのみ特定されるものではなく、上顎や下顎の左右を問わず、第一〜第三大臼歯は勿論のこと、第一、第二小臼歯、犬歯、側切歯、中切歯の歯冠部の内面に対して取外し不能に取付けてもよい。また、これら各歯の歯冠部における外面に対して取外し不能に取付けてもよいが、歯冠部の内面に取外し不能に取付けることによって、言語発生時や咀嚼時における違和感を軽減することができる。さらに、犬歯、側切歯、中切歯の歯冠部の外面への取付けは、容貌を変化させることにつながるので、第一〜第三大臼歯を特定することが好ましいといえる。
【００２６】
【発明の効果】
本発明に係る禁煙または節煙の補助具および人工歯は、上記のように構成されているので、以下のような格別の効果を奏する。
【００２７】
請求項１に記載の発明によれば、禁煙などの補助具に禁煙剤または節煙剤を備えさせることで、個人の意志にかかわらず喫煙の欲求を抑制し得る状態を維持して、喫煙習慣から脱却させる効果をあげることができる。
【００２８】
請求項５に記載の発明によれば、人工歯の適用後に、適用者の希望により禁煙などの補助具に禁煙剤または節煙剤を備えた人工歯に変更することができるので、個人の意志にかかわらず喫煙の欲求を抑制し得る状態を維持して、喫煙習慣から脱却させる効果をあげることができる。
【００２９】
上記の禁煙剤または節煙剤が徐放剤に含ませてある場合には、徐放剤の徐放作用により禁煙剤または節煙剤を口中に徐々に放出（溶出）させて、喫煙欲求を抑制する効果の持続時間（持続期間）を３〜６ケ月の長期にわたって延長させることができるので、喫煙習慣から脱却させる効果をより一層あげることができる。
【図面の簡単な説明】
【図１】請求項１に記載の発明に係る禁煙などの補助具の一実施の形態を示す斜視図である。
【図２】図１のＡ−Ａ線に沿う拡大断面図である。
【図３】請求項２に記載の発明に係る禁煙などの補助具の一実施の形態を示す図２相当図である。
【図４】禁煙などの補助具を下顎右側の第二大臼歯における歯冠部の内面に取付けた状態を示す斜視図である。
【図５】図４の第二大臼歯の拡大平面図である。
【図６】  請求項５に記載の発明に係る人工歯の一実施の形態を示す斜視図である。
【図７】  請求項６に記載の発明に係る人工歯の一実施の形態を示す斜視図である。
【符号の説明】
１  禁煙などの補助具（禁煙または節煙の補助具）
２  禁煙剤または節煙剤
３  歯または人工歯
５  徐放剤


【手続補正２】
【補正対象書類名】図面
【補正対象項目名】全図
【補正方法】変更
【補正の内容】
【図１】
2004357907.tif 000012
【図２】
2004357907.tif 000013
【図３】
2004357907.tif 000014
【図４】
2004357907.tif 000015
【図５】
2004357907.tif 000016
【図６】
2004357907.tif 000017
【図７】
2004357907.tif 000018